(57)【要約】      （修正有）【課題】調理者が水分の多い食材を調理する場合でも食材の揚がり具合を目で確認しながら、安全に天ぷら箸等で調理でき、油の飛び散りよる油汚れを防ぎ、油煙、油臭の拡散も防ぐ天ぷら鍋を提供する。【解決手段】円形、略方形の鍋本体の側面に略方形の調理用開口部を形成した鍋本体２に調理用窓部材６が取り付けられ、調理用窓部蓋部材１５も取り付けられている。また、排気筒１４が蓋体４に取り付けられ、そして鍋本体２の上に嵌合して取り付けてある。それと共に蓋体４が透明な耐熱性の耐熱ガラスで形成されている為、油の飛び散りによる油汚れを防ぎ、油煙、油臭も排気筒により排気され、安全で汚れを少なくすることが出来る。【選択図】図１
0003112730.tif 000002
【実用新案登録請求の範囲】
【請求項１】
底面部と前記底面部から連続する側面部と前記側面部の上縁に形成された開口部と前記開口部側から前記側面部に略方形の調理用開口部を形成した鍋本体に、前記調理用開口部と同形状をした調理用窓部材に取り付け用の凹部が形成された前記調理用窓部材が、前記鍋本体の上縁の開口部側から前記調理用開口部の凸部に、スライドして枢着されており、前記鍋本体の上縁に形成された開口部に嵌合する蓋体の内側から排気塔ソケットがリングナットにより締着され、前記排気筒ソケットに排気筒が、嵌脱できるように外嵌されていることを特徴とするてんぷら鍋。
【請求項２】
前記調理用窓部材の下側に、皿部材が皿部支持ピンによって軸着され、上下に自在に可動する皿部材と前記調理用窓部材の両前側側面に、コの字状をした蓋部材支持折曲部である凹部が形成され、この蓋部材支持折曲部に前記調理用窓部材と同形状に湾曲した調理用窓部蓋部材の両端側を凸部として、スライドして上下に枢支され前記調理用窓部材の上側部に磁石体が貼設されており、非磁性物質で形成された前記調理用窓部蓋部材の内側に吸着体である薄い鉄板が貼着されていて、この貼着された鉄板と前記調理用窓部材の磁石体が吸着することにより、前記調理用窓部蓋部材の開閉位置が枢支されていることを特徴とする請求項1記載のてんぷら鍋。
【請求項３】
ある程度の長さを持った煙突状の排気筒が、前記鍋本体側面あるいは前記蓋体に取り付けられ、前記鍋本体の調理用開口部の下方に皿部材が外側に向かって取り付けられており、前記調理用開口部の外側には前記調理用窓部蓋部材が取り付けられていて、前記調理用窓部蓋部材が前記調理用開口部の上側に取り付けられた磁石体によって開閉位置が枢支されるようになっていることを特徴とする請求項１又は2記載のてんぷら鍋。
【考案の詳細な説明】
【技術分野】
【０００１】
本考案は、てんぷら等揚げ物をするときに於いての油はね、それによる火傷や、油の飛び散り、それによる油汚れ、油煙の拡散等に依る室内の油臭さを減少させることの出来るてんぷら鍋に関するものです。
【背景技術】
【０００２】
てんぷら等揚げ物を作る場合、蓋も何もないてんぷら鍋に食用油を入れ、高温の適温になった状態で食材を入れ、ある程度火が通って食材が浮き上がってきたところで、てんぷら箸等で食材をひっくり返したり、油から少し持ち上げたりして火の通り具合を調節して美味しく揚げ物を作ることが行われていた。
【０００３】
しかし、蓋のない従来のてんぷら鍋で揚げ物を作る場合、食材に水分を多く含んだ牡蠣などを油に入れると、最初の間は激しく油はねが起こり、油煙で鍋の周り全体が油で汚れ、台所のみならず室内にも油煙の匂いが充満し、室内に油臭さが取れなくなつていた。そればかりか調理する人が火傷を負うことも起きていた。
【０００４】
その為に鍋本体に開口部のある蓋部材を着脱可能に設けられたてんぷら鍋が登録実用新案第３０３２７９８号に開示されている。しかし、このてんぷら鍋では蓋部材の後方に開口部があり、なるほど前面には油の飛散は防止できるが，後方には激しく飛散させる。この為にその後方の場所は激しく油で汚れてしまう。また蓋部材でてんぷら鍋に蓋をする為に揚げ物の火の通り具合の確認が難しい。また、食材を出し入れする際に蓋部材を開く必要があり、そのたびごとに油煙が室内に拡散するという問題があった。
【０００５】
また、その他に鍋本体と蓋部材とからなり蓋部材には調理窓部が設けられ窓部には開閉自在なカバーを有した蓋付きてんぷら鍋が登録実用新案第３１００８９６号に開示されている。このてんぷら鍋では蓋部材に油飛跳ね防止板が設けられており、前面への油の飛散を防止出来るようになっている。しかし、このてんぷら鍋でも、食材の揚がり具合の確認が難しく、その確認のために調理用窓部のカバーを開閉しなければならず、そのたびごとに油煙が室内に拡散するという問題があった。
【０００６】
また、その他に透明の鍋蓋に排煙チューブを設置し、鍋蓋自体は固定された連結部品で可動設置され吊り下げた状態で使用することができ、排煙チューブの反対端しにはろ過ボックス及び該吸気モーターを設置し、該吸気モーターの反対端に排気管を設けてある油煙吸引除去器が登録実用新案第３１００６０５号に開示されている。この鍋蓋を使えば油煙は排気されるが、鍋蓋の連結部品での可動設置、ろ過ボックス及び該吸気モーターの設置は難しく、一般家庭向きではない。
【０００７】
また、その他に蓋を耐熱ガラスで作り、上部に息抜き穴側面にカット部を設けた天婦羅なべ用保護ぶたが実用新案公開平７−２２５に開示されている。この天婦羅なべ用保護ぶたでは鍋蓋自体が耐熱ガラスで作られている為、鍋中の食材の揚がり具合など様子が見える。また側面にカット部がある為、中の食材もてんぷら箸等で調理できる。しかし鍋蓋をカットしていて、カット部の穴が側面から上面にかかって開いている為、箸等で調理している間は油の飛び散りがある。また、上部の息抜き穴のため油煙は室内に拡散されると言う問題があった。
【特許文献１】登録実用新案第３０３２７９８号公報
【特許文献２】登録実用新案第３１００８９６号公報
【特許文献３】登録実用新案第３１００６０５号公報
【特許文献４】実用新案公報平７−２２５号公報
【考案の開示】
【考案が解決しようとする課題】
【０００８】
以上に述べた従来のてんぷら鍋では、食材の揚がり具合の確認が難しくてんぷら箸等で食材をひっくり返すなどの調理が出来ず、また油の飛び散りにより火傷や油汚れ、油煙の拡散による室内への油臭さのしみ込みなどの問題があった。
【０００９】
本考案は、このような従来のてんぷら鍋が有していた問題を解決しようとするものであり、食材の揚がり具合を確認しながらてんぷら箸等で食材を調理でき、油の飛び散りを防ぎ油煙の拡散も防ぐてんぷら鍋を実現することを目的とするものである。  
【課題を解決するための手段】
【００１０】
そして、本考案は上記目的を達成するために、底面部と前記底面部から連続する側面部と前記側面部の上縁に形成された開口部と前記開口部側から前記側面部に略方形の調理用開口部を形成した鍋本体に、前記調理用開口部と同形状に湾曲して作られた調理用窓部材に取り付け用の凹部が形成されていて、前記鍋本体上縁の開口部側から前記調理用開口部の縁部を凸部として形成してあり、この凸部に調理用窓部材の凹部がスライドして枢着されている。また、前記鍋本体の上縁に形成された開口部に嵌合する蓋体が形成されこの蓋体に円形または略方形の穴が開けてあり、この穴に蓋体の内側から円形または略方形の排気搭ソケットを挿通して外側よりリングナット等により締着され取り付けられているこの前記排気筒ソケットに排気筒が嵌脱できるように、外嵌されている。
【００１１】
また、第２の課題解決手段は、前記調理用窓部材の下側に皿部材が皿部支持ピンによって軸着されることによって上下に自在に可動するように形成され、また、前記調理用窓部材の両前側面にコの字状をした凹部である蓋部材支持折曲部が形成されている。この蓋部材支持折曲部に前記調理用窓部材と同形状に湾曲して形成された調理用窓部蓋部材の両端側垂直部を凸部としてスライドして上下に枢支されており、前記調理用窓部材の上側曲面部に磁石体が貼設されている。前記調理用窓蓋部材は非磁性物質で形成されており、内側に吸着体である薄い鉄板が貼着されていて、この貼着された鉄板と前記調理用窓部材の磁石体が吸着することにより、前記調理用窓部蓋部材の開閉位置が枢支されるようになっている。
【００１２】
また、第３の課題解決手段は、ある程度の長さを持った煙突状の排気筒が、前記鍋本体側面部あるいは前記蓋体に取り付けられ、前記鍋本体の調理用開口部の下側に皿部材が外側に向かって取り付けられており、前記調理用開口部に外側から前記調理用窓部蓋部材が覆設されている。そして前記調理用窓部蓋部材は前記調理用開口部の上側に取り付けられた磁石体によって開閉位置が枢支されるようになっている。
【００１３】
上記第１の課題解決手段による作用は次の通りである。すなわち、鍋本体の側面上部に調理用の開口部が作られていて、鍋本体の天面に排気筒がつけられた蓋体が嵌合してとりつけてあり、この為に、調理人はこの開口部からてんぷら箸等で調理できる。この時、開口部が鍋の側面上部にある為にてんぷら箸等が鍋に斜めに挿入される。これは一般の鍋でもほとんど同じように斜めで調理されているので、違和感なく調理できる。そして前記蓋体が耐熱性の透明な材質で作られている為、開口部から調理しながら鍋の中を見ることが出来る。この時たとえ油跳ねがあっても顔面には油は飛んで来ることはないので安全である。
【００１４】
上記第２の課題解決手段による作用は次の通りである。すなわち、鍋本体の調理用開口部に取り外しの出来る調理用窓部が取り付けられている。その調理用窓部には上下に可動できる皿部材と調理用窓部を上下にスライドして開閉する調理用窓部蓋部材が取り付けられている。この為に、調理人はこの調理用窓部から水分の多い食材を入れた時、最初は激しく油跳ねが起きるが、この調理用窓部蓋部材で調理用窓部を三分の二程度閉じれば、調理用窓部からの油の飛び跳ねも防ぐことが出来る。またこの調理用窓部を三分の一だけ開けておくことにより、この隙間より空気が吸い込まれ蓋体の排気筒より排気されるので、蓋体の透明な部分に付着する水蒸気も排気される為、曇ることなく鍋の中を見ることが出来る。また、この調理用窓部蓋部材の開閉位置は調理用窓部に貼着された磁石体と調理用窓部蓋部材に貼着された鉄板により枢支される為、調理用窓部蓋部材の開閉も簡単である。また上下に可動できる皿部材を調理用窓部に取り付けることにより食材を入れる時のてんぷらの衣ダレ、また、揚がったてんぷらを取り出す時の油ダレをこの皿部材が受け止めてくれるため、調理台などの汚れが少なくてすむ。さらに、この調理用窓部が取り外し自在な為、調理後の洗浄も簡単である。また皿部材が上下可動に自在な為に収納時もコンパクトに収納することが出来る。
【００１５】
上記第３の課題解決手段による作用はつぎの通りである。すなわち、ある程度の長さを持った煙突状の排気筒が、前記鍋本体側面部あるいは前記蓋体に取り付けられ、前記鍋本体の調理用開口部の下側に皿部材が外側に向かって取り付けられており、前記調理用開口部に外側から前記調理用窓部蓋部材が覆設されている。そして、排気筒の上部先端がレンジフードのフィルター部分や換気扇のフィルター部分に近くなる為、排気筒先端部より排気された油煙は拡散されることなくレンジフードや換気扇のフィルターを通して排出される。この為、フィルターは汚れるがレンジフードや周りの壁などの汚れはほとんどなくなる。よって、室内への油臭さのしみ込みも防止する事が出来る。
【考案の効果】
【００１６】
上述したように、本考案のてんぷら鍋は、てんぷらなど揚げ物をする時の油跳ねの危険を無くし、安全であると同時に、汚れを防ぐことが出来る。また、側面よりてんぷら箸等で調理しながら、鍋の上から食材のあがり具合を見ることができる為、調理し易い。
【００１７】
そして蓋部材がある為。もし、鍋の油に引火してしまった場合には、炎で８磁石体が直接熱せられ吸着力を失い１５調理用窓部蓋部材が枢支されなくなり、蓋部材の重さで自動的に閉まることが期待できる。または、１６蓋部材把手で手動により閉めることが出来る。この事により初期の段階で炎を小さくする事が可能である。  
【００１８】
また、鍋本体に皿部材が付くことにより衣ダレや油ダレによる調理台のよごれも少なくなり、排気筒があるために油煙を拡散することなく換気扇などより排出することができ、レンジフードや周りの壁などの汚れはほとんどなくなる。このことにより、室内への油臭さのしみ込みも防止する事が出来、汚れを少なくできるという効果を発揮するものである。
【考案を実施するための最良の形態】
【００１９】
以下、本考案の実施の形態を図１〜図１６に基づいて説明する
【実施例１】
【００２０】
２は鍋本体であり、この鍋本体２には、図４に示すように２９底面部とこの底面部から連続する２１側面部の上縁に円形に３２張出部と３３折曲部を持った開口部があり、２０開口周縁部が形成されている。この開口周縁部２０の断面形状は、円形、方形等、必要に応じて任意の形状を適宜採用することができる。また、鍋本体２の両側の外側には把手１Ａ、１Ｂ、がそれぞれ設けられている。図２、図３に示すように、この開口周縁部２０側から底面部２９に向かって側面部２１が略方形に切り取られ、３Ａ，３Ｂの側面切断縁部と２５前側切断縁部を持った調理用開口部が形成されている。そして図５、図６、図７、図８に示すように調理用開口部と同形状に湾曲して形成された６調理用窓部材に、取り付け用の凹部１０Ａ、１０Ｂ、の調理用窓部支持折曲部と１２Ａ、１２Ｂ、調理用窓部下側曲面折曲部が形成されている。この調理用窓部材６は調理用開口部の側面切断縁部３Ａ、3Ｂを凸部として調理用窓部支持折曲部１０Ａ、１０Ｂの凹部とスライドして枢着され、鍋本体２の２５前側切断縁部と調理用窓部材６の調理用窓部支持折曲部１２Ａ、１２Ｂの隙間１３スリット部も同じく枢着されている。また、図１２、図１３、図１４、図１５、図１８に示すように、鍋本体２の上縁に形成された開口部の２０開口周縁部に嵌合する４蓋体の２４蓋体開口端周円部が形成され、この蓋体４に円形、または略方形の穴が開けてありこの穴に蓋体の内側から円形、または略方形の５排気ソケットを挿通して外側より２６ネジ部に２２リングナット３０リングパッキン等により締着され取り付けられている。この５排気筒ソケットにソケット部と同形状のある程度の長さを持った１４排気筒が、嵌脱できるように、外嵌されている。
【実施例２】
【００２１】
また、図７に示すように、６調理用窓部材の下側に皿部材7が１１皿部支持ピンによって軸着され、上下に自在に可動するように形成され、また６調理用窓部材の両側面にコの字状をした凹部である９Ａ、９Ｂの蓋部材支持折曲部が形成されている。そして、図９、図１０、図１１に示すように、この蓋部材支持折曲部に６調理用窓部材と同形状に湾曲して形成された１５調理用窓部蓋部材の両側垂直部を凸部としてスライドして上下に枢支されている。また、図６、図７、図８に示すように、６調理用窓部材の上側曲面部に３１調理用窓部上部曲面部が形成されており、この調理用窓部上部曲面部３１に、８磁石体が貼設されおり、図９、図１０、図１１、図１７、図１８に示すように、１５調理用窓部蓋部材は非磁性物質で形成されており、内側に吸着体である薄い鉄板である、１７蓋部材半開時吸着鉄板部と１８蓋部材全開時吸着鉄板部が貼着され形成されている。この貼着された１７，１８の鉄板部と８磁石体が吸着することにより、１５調理用窓部蓋部材の開閉位置が枢支されるように形成されている。さらに、図２４に示すように。調理用窓部蓋部材１５の上部にある蓋部材把手１６を持って調理用窓部蓋部材１５を上下に開閉することができる。また、図１に示すように、２７Ａ、２７Ｂ蓋部材切欠部と皿部材の皿部材折曲部２８Ａ、２８Ｂが形成されていて、この２７Ａ、２７Ｂ蓋部材切欠部と皿部材の皿部材折曲部２８Ａ、２８Ｂが嵌合して、図２４のように調理用窓蓋部材１５が完全に閉じるようになっている。
【００２２】
以下、上記構成の動作を説明する。まず、鍋本体２に調理用窓部材６を上部より取り付ける。調理用油を適量ライン１９まで注入し、蓋体４を鍋本体２に取り付ける。次に、蓋体４の上に排気筒１４を取り付ける。その後、調理用窓部材６に調理用窓部蓋部材１５を上部よりスライドさせ取り付け、蓋を１８蓋部材全開時吸着鉄板部と磁石体８を吸着させ調理用窓部蓋部材１５を全開の位置で枢支する。この状態を図１に示す。この状態で油の温度を上げ適温になったら、食材を調理用窓部より入れる。食材を油に入れると油跳ねが激しくなる為、適量の食材を入れ終わったら、図２５のように調理用窓部蓋部材１５を下に降ろす。この時、１７蓋部材半開時吸着鉄板部があるため、自然に磁石体８と吸着し半開の位置に枢支される。この時、空気の流れは半開された調理用窓部より吸い込まれ、揚げ物の水蒸気、油煙と共に排気筒１４より排気される。この排気筒はある程度の長さを持っている為、レンジフードのフィルターや換気扇フィルターに近づいている。これによって、油煙や水蒸気、油臭などが、室内に拡散することなく排出される。また、調理用窓部材６には、皿部材７が取り付けてある為、揚げ物の出し入れの時に衣ダレ、油ダレ等をこの皿部材で受け止めるようになっている。故に、調理台の汚れを少なくすることが出来る。また蓋体４が透明な耐熱性のある材料、ここでは耐熱ガラスで作られている為、鍋の上から、中の食材の揚がり具合を見ることが出来る。このとき若干水蒸気により、蓋体が曇ることがあるが、排気筒がある為、少しすると曇りも取れる。また、蓋部材を全開時の位置に戻し、調理用窓部より、てんぷら箸等で揚げ物を反したりして調理できる。この時も油跳ねが顔面に飛んでくることは無い。また、排気筒１４にボックス状のアダプターを取り付け、これをレンジフードのフィルター部分に直接取り付ける場合は、なお一掃、油煙などを室内に拡散することなく、完全に排出することが出来る。なお、この１４排気筒を伸縮自在の耐熱性のある金属、非金属、樹脂、等で作られており、取り外しも自在な為、調理後かたずける時には、コンパクトに縮めて収納することが出来る。また１４排気筒の形状は伸縮自在の円筒形であるが、円柱、角柱、必要に応じて任意の形状を適宜採用する事が出来る。また、調理用窓部材６は耐熱性の樹脂、非金属、等で作られるが、鍋本体２の材質よりも、熱伝導率の低い材質のものがよい。なぜなら調理用窓部材６の上部に貼着された８磁石体が熱で吸着力を失わない為である。もし、鍋の油に引火してしまった場合には、炎で８磁石体が直接熱せられ吸着力を失い１５調理用窓部蓋部材が枢支されなくなり、蓋部材の重さで自動的に閉まることが期待できる。この事により初期の段階で炎を小さくする事が可能である。また、調理用窓部材６は取り外し自在で調理後の洗浄も簡単であり、７皿部材も上下自在に可動出来る為、折りたたんで収納できる。上記の調理用窓部材の形成方法以外にも、皿部材だけ単体で取り付けることも出来るし、鍋本体に直接、１５調理用窓部蓋部材を枢支する凹部を作ることも出来る。また１５調理用窓蓋部材の開閉の方法も、上下だけではなく前後、左右、どのような方法でも必要に応じて任意方法を適宜採用できる。
【図面の簡単な説明】
【００２３】
【図１】上記第１実施例による排気筒、蓋体、及び調理用窓部を備えた天ぷら鍋の使用状態を示し、調理用窓部が全開状態の斜視図である。
【図２】上記第１実施例による排気筒、蓋体、及び調理用窓部を備えた天ぷら鍋の使用する鍋本体の正面図である
【図３】上記第１実施例による排気筒、蓋体、及び調理用窓部を備えた天ぷら鍋の使用する鍋本体の側面図である。
【図４】上記第１実施例による排気筒、蓋体、及び調理用窓部を備えた天ぷら鍋の使用する鍋本体の平面図である。
【図５】上記第１実施例による排気筒、蓋体、及び調理用窓部を備えた天ぷら鍋の使用する調理用窓部の下面図である。
【図６】上記第１実施例による排気筒、蓋体、及び調理用窓部を備えた天ぷら鍋の使用する調理用窓部の正面図である。
【図７】上記第１実施例による排気筒、蓋体、及び調理用窓部を備えた天ぷら鍋の使用する調理用窓部の平面図である。
【図８】上記第１実施例による排気筒、蓋体、及び調理用窓部を備えた天ぷら鍋の使用する調理用窓部の側面図である。
【図９】上記第１実施例による排気筒、蓋体、及び調理用窓部を備えた天ぷら鍋の使用する調理用窓部蓋部材の平面図である。
【図１０】上記第１実施例による排気筒、蓋体、及び調理用窓部を備えた天ぷら鍋の使用する調理用窓部蓋部材の正面図である。
【図１１】上記第１実施例による排気筒、蓋体、及び調理用窓部を備えた天ぷら鍋の使用する調理用窓部蓋部材の側面図である。
【図１２】上記第１実施例による排気筒、蓋体、及び調理用窓部を備えた天ぷら鍋の使用する排気筒の側面図である。
【図１３】上記第１実施例による排気筒、蓋体、及び調理用窓部を備えた天ぷら鍋の使用する排気筒の平面図である。
【図１４】上記第１実施例による排気筒、蓋体、及び調理用窓部を備えた天ぷら鍋の使用する蓋体の側面図である。
【図１５】上記第１実施例による排気筒、蓋体、及び調理用窓部を備えた天ぷら鍋の使用する蓋体の平面図である。
【図１６】上記第１実施例による排気筒、蓋体、及び調理用窓部を備えた天ぷら鍋の使用状態を示す側面図である。
【図１７】上記第１実施例による排気筒、蓋体、及び調理用窓部を備えた天ぷら鍋に使用する鍋本体、蓋体、調理用窓部、を組み合わせた状態の平面図である。
【図１８】上記第１実施例による排気筒、蓋体、及び調理用窓部を備えた天ぷら鍋に使用する鍋本体、蓋体、調理用窓部、を組み合わせた状態の平面図の図１７におけるＡ〜Ａ線断面図である。
【図１９】上記第１実施例による排気筒、蓋体、及び調理用窓部を備えた天ぷら鍋に使用する排気筒の斜視図である。
【図２０】上記第１実施例による排気筒、蓋体、及び調理用窓部を備えた天ぷら鍋に使用する蓋体の斜視図である。
【図２１】上記第１実施例による排気筒、蓋体、及び調理用窓部を備えた天ぷら鍋に使用する調理用窓部蓋部材の斜視図である。
【図２２】上記第１実施例による排気筒、蓋体、及び調理用窓部を備えた天ぷら鍋に使用する調理用窓部材の斜視図である。
【図２３】上記第１実施例による排気筒、蓋体、及び調理用窓部を備えた天ぷら鍋に使用する鍋本体の斜視図である。
【図２４】上記第１実施例による排気筒、蓋体、及び調理用窓部を備えた天ぷら鍋の使用状態を示し、調理用窓部が閉じられた状態の斜視図である。
【図２５】上記第１実施例による排気筒、蓋体、及び調理用窓部を備えた天ぷら鍋の使用状態を示し、調理用窓部が半開状態の斜視図である。
【符号の説明】
【００２４】
１  把手    
２  鍋本体
３  側面切断縁部
４  蓋体
５  排気筒ソケット
６  調理用窓部材
７  皿部材
８  磁石体
９  蓋部材支持折曲部
１０調理用窓部支持折曲部
１１皿部支持ピン
１２調理用窓部下側曲面折曲部
１３スリット部
１４排気筒
１５調理用窓部蓋部材
１６蓋部材把手
１７蓋部材半開時吸着鉄板部
１８蓋部材全開時吸着鉄板部
１９適量ライン
２０開口周縁部
２１側面部
２２リングナット
２３皿部支持穴
２４蓋体開口端周縁部
２５前側切断縁部
２６ネジ部
２７蓋部材切欠部
２８皿部材折曲部
２９底面部
３０リングパッキン
３１調理用窓部上部曲面部
３２張出部
３３折曲部
【図１】
0003112730.tif 000003
【図２】
0003112730.tif 000004
【図３】
0003112730.tif 000005
【図４】
0003112730.tif 000006
【図５】
0003112730.tif 000007
【図６】
0003112730.tif 000008
【図７】
0003112730.tif 000009
【図８】
0003112730.tif 000010
【図９】
0003112730.tif 000011
【図１０】
0003112730.tif 000012
【図１１】
0003112730.tif 000013
【図１２】
0003112730.tif 000014
【図１３】
0003112730.tif 000015
【図１４】
0003112730.tif 000016
【図１５】
0003112730.tif 000017
【図１６】
0003112730.tif 000018
【図１７】
0003112730.tif 000019
【図１８】
0003112730.tif 000020
【図１９】
0003112730.tif 000021
【図２０】
0003112730.tif 000022
【図２１】
0003112730.tif 000023
【図２２】
0003112730.tif 000024
【図２３】
0003112730.tif 000025
【図２４】
0003112730.tif 000026
【図２５】
0003112730.tif 000027